(57)【要約】    【課題】  外表面に装着用凹部を形成したパネル本体と、装着用凹部に嵌合してパネル本体に取付けられる外部パネルとを有するとともに、外部パネルの縁部に形成した切欠きの縁部に工具を引掛けて、パネル本体から外部パネルを取外すよう構成されたパネル構造を対象とし、パネル本体の装着用凹部に外部パネルを組付けた状態において、上記外部パネルの切欠きを通してパネル本体(装着用凹部)が見えてしまうことに起因する美感の低下を未然に防止し得るパネル構造の提供を目的とする。    【解決手段】  外部パネルに、切欠きを閉塞するとともに工具の押込みによって切欠きから分離可能な薄肉部を形成する一方、パネル本体に、切欠きから分離された薄肉部を受止める収容用凹部を、装着用凹部に嵌合した外部パネルの切欠きと対応した位置に形成している。    【選択図】  図２
2007288322.tif 000002
【特許請求の範囲】
【請求項１】
外表面に装着用凹部を形成したパネル本体と、前記装着用凹部に嵌合して前記パネル本体に取付けられる外部パネルとを有するとともに、前記外部パネルの縁部に形成した切欠きの縁部に工具を引掛けて、前記パネル本体から前記外部パネルを取外すよう構成されたパネル構造であって、
前記外部パネルに、前記切欠きを閉塞するとともに前記工具の押込みによって前記切欠きから分離可能な薄肉部を形成し、
前記パネル本体に、前記切欠きから分離された前記薄肉部を受止める収容用凹部を、前記装着用凹部に嵌合した前記外部パネルの前記切欠きと対応した位置に形成して成ることを特徴とするパネル構造。
【発明の詳細な説明】
【技術分野】
【０００１】
本発明は、外表面に装着用凹部を形成したパネル本体と、装着用凹部に嵌合してパネル本体に取付けられる外部パネルとを有するとともに、外部パネルの縁部に形成した切欠きの縁部に工具を引掛けて、パネル本体から外部パネルを取外すよう構成されたパネル構造に関する。
【背景技術】
【０００２】
例えば、電子機器の一例である携帯電話機においては、一方の筐体と他方の筐体との組立てに際して筐体の外部に露呈する止めネジを、筐体に取付けた化粧用のパネルにより隠して美感の向上を図るとともに、修理等における筐体の分解時には止めネジを露呈させるべく、上記パネルを筐体に対して取外し可能に装着したパネル構造が採用されている(例えば、特許文献１参照)。
【０００３】
図５〜図７に示した従来の携帯電話機Ａは、操作部Ｍ等を備えた本体を構成する下筐体Ｂと、液晶表示部Ｄ等を備えた蓋体を構成する上筐体Ｃとを有し、これら下筐体Ｂおよび上筐体Ｃは、ヒンジ部Ｈを介して互いに回動自在に連結されている。
【０００４】
また、蓋体を構成する上筐体Ｃは、止めネジを用いて上内ケースＣｉと上外ケースＣｏとを互いに組付けることで形成されており、上内ケースＣｉには上記止めネジを隠すためのパネル(外部パネル)Ｐが装着されている。
【０００５】
すなわち、図６および図７に示す如く、上内ケースＣｉにおける正面板(パネル本体)Ｆの外表面Ｆａには、止めネジＳ、Ｓが臨む位置に装着用凹部Ｒが形成されており、この装着用凹部Ｒと同一の平面形状を呈するパネルＰを、上記装着用凹部Ｒに嵌合させて装着することで、止めネジＳ、ＳがパネルＰによって覆い隠されることとなる。
【０００６】
一方、パネルＰにおける縁部Ｐｅには、側方に解放され且つ上下方向(肉厚方向)に貫通した切欠きＰｎが形成されており、装着用凹部Ｒに嵌合しているパネルＰに対し、切欠きＰｎに差し入れた取外し用の工具(図示せず)を引掛け、装着用凹部ＲからパネルＰを取外すことにより、筐体の分解時等において止めネジＳを露呈させることができる。
【特許文献１】特開２００２−７７３４０号公報
【発明の開示】
【発明が解決しようとする課題】
【０００７】
ところで、上述した携帯電話機Ａにおけるパネル構造では、パネルＰの切欠きＰｎが上下方向に貫通形成されているため、パネルＰを装着用凹部Ｒに嵌合させて上筐体Ｃに取付けた際、上記切欠きＰｎを介して装着用凹部Ｒの底面Ｒｂが外部に露呈することとなる。
【０００８】
特に、デザイン上の理由から、上筐体Ｃ(上内ケースＣｉ)とパネルＰとの色彩を相違させている場合、例えば黒色に成形されたパネルＰの切欠きＰｎを通して、白色に成形された装着用凹部Ｒの底面Ｒｂが見えることで、上記切欠きＰｎの存在が著しく目立つこととなり、携帯電話機Ａにおける美感を大きく損なってしまう不都合があった。
【０００９】
本発明は上述した実状に鑑み、パネル本体の装着用凹部に外部パネルを組付けた状態において、上記外部パネルの切欠きを通してパネル本体(装着用凹部)が見えてしまうことに起因する、大幅な美感の低下を未然に防止し得るパネル構造の提供を目的とするものである。
【課題を解決するための手段】
【００１０】
上記目的を達成するべく、本発明に関わるパネル構造は、外表面に装着用凹部を形成したパネル本体と、装着用凹部に嵌合してパネル本体に取付けられる外部パネルとを有するとともに、外部パネルの縁部に形成した切欠きの縁部に工具を引掛けて、パネル本体から外部パネルを取外すよう構成されたパネル構造であって、上記外部パネルに、切欠きを閉塞するとともに工具の押込みによって切欠きから分離可能な薄肉部を形成する一方、上記パネル本体に、切欠きから分離された薄肉部を受止める収容用凹部を、装着用凹部に嵌合した外部パネルの切欠きと対応した位置に形成して成ることを特徴としている。
【発明の効果】
【００１１】
本発明に関わるパネル構造においては、外部パネルの切欠きに薄肉部を形成して上記切欠きを閉塞したことにより、パネル本体の装着用凹部に外部パネルを組付けた状態において、外部パネルの切欠きを通してパネル本体(装着用凹部)が見えてしまうことがなく、もって美感の不用意な低下を未然に防止することが可能となる。
【発明を実施するための最良の形態】
【００１２】
以下、実施例を示す図面に基づいて、本発明を詳細に説明する。  
図１〜図４は、本発明に関わるパネル構造を携帯電話機に適用した実施例を示しており、図１に示す如く実施例における折畳み式の携帯電話機１は、本体を構成する下筐体２と蓋体を構成する上筐体３とを備えている。
【００１３】
また、上記下筐体２の正面には、複数の操作キーを備えた操作部２Ｍが設けられている一方、上記上筐体３の正面には、大型の液晶表示部３Ｄが設けられており、これら下筐体２と上筐体３とは、両者の基端部間に介在する連結体４によって開閉自在に連結されている。
【００１４】
ここで、蓋体を構成する上記上筐体３は、止めネジを用いて上内ケース１０と上外ケース１１とを互いに組付けることで形成されており、上記上内ケース１０の正面には、止めネジを隠す為の化粧パネル(外部パネル)２０、２０が装着されている。
【００１５】
図２および図３に示す如く、上内ケース１０における正面板(パネル本体)１０Ｆの外表面１０Ｆａには、止めネジＳ、Ｓが臨む位置に装着用凹部１０Ｒが陥没形成されており、この装着用凹部１０Ｒに嵌合させて、化粧パネル２０を上内ケース１０に取付けることで、止めネジＳ、Ｓが上記化粧パネル２０によって覆い隠されることとなる。
【００１６】
因みに、上筐体３を構成する上内ケース１０、および該上内ケース１０に取付けられる化粧パネル２０は、共に硬質の樹脂材料を型成形することによって製作されている。
【００１７】
上記化粧パネル２０は、上記上内ケース１０における装着用凹部１０Ｒと同一の平面形状を呈しており、その左右の縁部２０ｅ、２０ｅには、それぞれ切欠き２０ｎ、２０ｎが形成されているとともに、各々の切欠き２０ｎ、２０ｎを閉塞する薄肉部２０ｔ、２０ｔが形成されている。
【００１８】
上記薄肉部２０ｔは、切欠き２０ｎの底部に膜を張る如き形態を呈しており、これにより上記切欠き２０ｎは、薄肉部２０ｔの存在によって上下方向へ貫通することなく、化粧パネル２０の上方と側方とに対してのみ解放される形態を呈している。
【００１９】
また、上記薄肉部２０ｔは、後述する工具(図４の符号Ｔ)を切欠き２０ｎに挿し入れて押込んだ際、その押圧力によって切欠き２０ｎから分離可能、具体的には突き破って折り取ることのできるよう、その厚さ寸法(換言すれば機械的強度)の設定が為されている。
【００２０】
一方、上内ケース１０における正面板１０Ｆの外表面１０Ｆａに陥没形成された装着用凹部１０Ｒには、その底面１０Ｒｂの２箇所、詳しくは装着用凹部１０Ｒに嵌合させた化粧パネル２０の切欠き２０ｎ、２０ｎと対応する位置に、それぞれ収容用凹部１０Ｒｒ、１０Ｒｒが陥没形成されている。
【００２１】
ここで、上述した如きパネル構造を採用した携帯電話機１によれば、図３および図４(ａ)に示す如く、上内ケース１０における正面板１０Ｆの装着用凹部１０Ｒに、化粧パネル２０を嵌合させて取付けた状況においては、上記化粧パネル２０の切欠き２０ｎが薄肉部２０ｔによって閉塞されているため、上記切欠き２０ｎを通して装着用凹部１０Ｒの底面１０Ｒｂ(収容用凹部１０Ｒｒ)が外部に露呈することはない。
【００２２】
かくして、上内ケース１０の正面板１０Ｆに化粧パネル２０を組付けた状態において、上記化粧パネル２０の切欠き２０ｎを通して上内ケース１０の装着用凹部１０Ｒが見えてしまうことに起因する、携帯電話機１の外観に関わる美感の著しい低下を未然に防止することができる。
【００２３】
一方、携帯電話機１の分解時等において止めネジＳを露呈させるべく、上内ケース１０の正面板１０Ｆから化粧パネル２０を取外す際には、先ず、図４(ｂ)で示す如く、切欠き２０ｎに挿し入れた取外し用の工具Ｔを、矢印ｐの如く下方に押込んで薄肉部２０ｔを突き破り、切欠き２０ｎから薄肉部２０ｔを折り取ってしまう。
【００２４】
ここで、上内ケース１０の収容用凹部１０Ｒｒには、化粧パネル２０の切欠き２０ｎと対応した位置に収容用凹部１０Ｒｒが陥没形成され、薄肉部２０ｔの下方にはスペースが画成されることとなるために、工具Ｔの押込みによって薄肉部２０ｔを容易に突き破ることができる。
【００２５】
また、切欠き２０ｎから分離除去された薄肉部２０ｔは、上記上内ケース１０の収容用凹部１０Ｒｒによって受け止められるため、スクラップとなった薄肉部２０ｔが不用意に上筐体３の内部に侵入することがない。
【００２６】
工具Ｔによって薄肉部２０ｔを突き破り、切欠き２０ｎから薄肉部２０ｔを除去したのち、図４(ｂ)で示す如く、工具Ｔの先端を切欠き２０ｎの縁部に引っ掛け、矢印ｕの如く工具Ｔを引き上げることにより、化粧パネル２０を上内ケース１０の収容用凹部１０Ｒｒから取外すことができ、上内ケース１０の正面に止めネジＳ、Ｓが露呈されることとなる。
【００２７】
因みに、上内ケース１０から取外された化粧パネル２０は、薄肉部２０ｔが破られているためにスクラップとして破棄され、予め用意した新品の化粧パネル２０を上内ケース１０に取付けることで、携帯電話機１は現状(製品状態)に復帰することとなる。
【００２８】
なお、上述した実施例においては、化粧パネルにおける側縁の２箇所に切欠きを形成しているが、化粧パネルの平面形状を始めとして、切欠きの形成個数や形成位置は、実施例に限定されるものではなく、携帯電話機の設計仕様やデザイン等の諸条件に基づいて適宜に設定し得ることは勿論である。
【００２９】
また、上述した実施例においては、携帯電話機における組立ネジを隠すための化粧パネルに本発明を適用した例を示したが、本発明は上述した実施例に限定されるものではなく、携帯電話機以外の様々な電子機器、さらには各種の産業分野におけるパネル構造に対しても、極めて有効に適用し得るものであることは言うまでもない。
【図面の簡単な説明】
【００３０】
【図１】本発明に関わるパネル構造を適用した携帯電話機を示す外観図。
【図２】本発明に関わるパネル構造を概念的に示す分解斜視図。
【図３】(ａ)および(ｂ)は、本発明に関わるパネル構造を概念的に示す正面図および断面図。
【図４】(ａ)、(ｂ)および(ｃ)は、本発明に関わるパネル構造においてパネル本体から外部パネルを取外す際の工程を概念的に示す要部断面図。
【図５】従来のパネル構造を適用した携帯電話機を示す外観図。
【図６】従来のパネル構造を概念的に示す分解斜視図。
【図７】(ａ)および(ｂ)は、従来のパネル構造を概念的に示す正面図および断面図。
【符号の説明】
【００３１】
１…携帯電話機。
２…下筐体、
３…上筐体、
１０…上内ケース、
１０Ｆ…正面板(パネル本体)、
１０Ｆａ…外表面、
１０Ｒ…装着用凹部、
１０Ｒｒ…収容用凹部、
２０…化粧パネル(外部パネル)、
２０ｅ…縁部、
２０ｎ…切欠き、
２０ｔ…薄肉部、
Ｔ…工具。
【図１】
2007288322.tif 000003
【図２】
2007288322.tif 000004
【図３】
2007288322.tif 000005
【図４】
2007288322.tif 000006
【図５】
2007288322.tif 000007
【図６】
2007288322.tif 000008
【図７】
2007288322.tif 000009